(57)【要約】    【課題】  充分な剛性を有しながら軽量化でき、しかも分割可能で搬送時などの取り扱い性に優れたベッドを提供する。    【解決手段】  矩形の周囲枠を含むフレーム体を有するベッド枠体と、マットを載せる寝具載置面を有し前記フレーム体に支持されうるマットフレームとを具えたベッドであって、前記フレーム体は、長さ方向に分割され前記周囲枠が分割された分割周囲枠を有する半フレーム体と、少なくとも前記分割周囲枠を連結することにより連結周囲枠を形成する連結枠と、前記連結周囲枠に固着され該連結周囲枠の連結部を補強する補強材とからなることを特徴とする。【選択図】  図１
2006141563.tif 000002
【特許請求の範囲】
【請求項１】
矩形の周囲枠を含むフレーム体を有するベッド枠体と、マットを載せる寝具載置面を有し前記フレーム体に支持されうるマットフレームとを具えたベッドであって、
前記フレーム体は、長さ方向に分割され前記周囲枠が分割された分割周囲枠を有する半フレーム体と、少なくとも前記分割周囲枠を連結することにより連結周囲枠を形成する連結枠と、前記連結周囲枠に固着され該連結周囲枠の連結部を補強する補強材とからなることを特徴とするベッド。
【請求項２】
前記補強材は、前記連結周囲枠に連続して固定される矩形枠体からなり、
前記矩形枠体は、連結周囲枠の両側部に、前後部間に連続してのびる飾り側板を含むことを特徴とする請求項１記載のベッド。
【請求項３】
前記フレーム体は、昇降手段により昇降可能であることを特徴とする請求項１又は２記載のベッド。
【請求項４】
前記昇降手段は、２本のリンクアームが交差部で枢支軸により枢支されたＸ字状リンクの開閉により、リンクアームの上端に取り付けた前記フレーム体を昇降するシザースリンク機構であることを特徴とする請求項１〜３のいずれかに記載のベッド。
【請求項５】
前記周囲枠は上片、下片、側片を有する金属枠材からなり、前記連結枠は、前記上片の上面、下片の下面の一方に固定される横片と、前記側片に固定される縦片とを連結したＬ字金具を有し、前記補強材は、前記上片の上面、下片の下面の一方に固定されることを特徴とする請求項１〜４のいずれかに記載のベッド。
【発明の詳細な説明】
【技術分野】
【０００１】
本発明は、堅牢で安定性に優れ、かつ分割可能で搬送時などの取り扱いが便利なベッドに関する。
【背景技術】
【０００２】
ベッドに対する快適性、介護用途などニーズの多様化に伴い、マットが使用者の姿勢に対応して変形しうるリクライニング機能、昇降機能、更にはマッサージ機能などの各種の運動機能がベッドに付加されている。そして例えば図１７に示すように、頭部側と脚部側に動力で伸縮するスライド支脚ａ、ａで昇降可能に支持されたベッドに於ては、長さ方向に大きな曲げ負荷がかかるため、中間部が下がった撓みを生じ易く、また昇降動作時などに揺れを生じがちである。この改善としてベッドの剛性を高めるため、ベッドフレームｂを構成する側枠ｂ１などの枠材の断面係数を大きくすることが考えられる（例えば、特許文献１参照）。
【０００３】
【特許文献１】特開平１１−１０３９７７号公報
【発明の開示】
【発明が解決しようとする課題】
【０００４】
しかしながら、例えば鉄材などを用いて形成されるベッドフレームｂの断面を大きくすると、変形、揺れ等を生じない堅牢なベッドが得られるものの、全体重量が相当大きくなり、搬送など取り扱い性が悪くなる。特に２ｍを越える長さで一体に形成された重いベッドフレームｂは、特に住宅の狭い階段、廊下などを通って運ぶ作業が大変やりづらく、搬入できない場合もある。また未使用時に、スライド支脚ａなどは分解できても、長くて重いベッドフレームｂは大きな収納空間を必要とし、保管しづらいという問題がある。
【０００５】
本発明は、分割周囲枠を連結枠で連結した連結周囲枠の連結部を補強材で補強することを基本とし、充分な剛性を有しながら軽量化でき、しかも分割可能で搬送時などの取り扱い性に優れたベッドの提供を課題としている。
【課題を解決するための手段】
【０００６】
前記目的を達成するために、請求項１に係る発明は、矩形の周囲枠を含むフレーム体を有するベッド枠体と、マットを載せる寝具載置面を有し前記フレーム体に支持されうるマットフレームとを具えたベッドであって、前記フレーム体は、長さ方向に分割され前記周囲枠が分割された分割周囲枠を有する半フレーム体と、少なくとも前記分割周囲枠を連結することにより連結周囲枠を形成する連結枠と、前記連結周囲枠に固着され該連結周囲枠の連結部を補強する補強材とからなることを特徴とする。
【０００７】
請求項２に係る発明では、前記補強材は、前記連結周囲枠に連続して固定される矩形枠体からなり、前記矩形枠体は、連結周囲枠の両側部に、前後部間に連続してのびる飾り側板を含み、また請求項３に係る発明においては、前記フレーム体は、昇降手段により昇降可能であることを特徴とする。
【０００８】
請求項４に係る発明では、前記昇降手段は、２本のリンクアームが交差部で枢支軸により枢支されたＸ字状リンクの開閉により、リンクアームの上端に取り付けた前記フレーム体を昇降するシザースリンク機構であり、また請求項５に係る発明において、前記周囲枠は上片、下片、側片を有する金属枠材からなり、前記連結枠は、前記上片の上面、下片の下面の一方に固定される横片と、前記側片に固定される縦片とを連結したＬ字金具を有し、前記補強材は、前記上片の上面、下片の下面の一方に固定されることを特徴とする。
【発明の効果】
【０００９】
請求項１に係る発明において、分割周囲枠が連結された連結周囲枠は、連結部を強化する補強材により長さ方向の曲げ剛性が高められるため、撓み、揺れなどを生じることなく安全に使用できる。また重いフレーム体が長さ方向に分割されるため、搬送、未使用時の保管など取り扱いが容易となる。
【００１０】
請求項２に係る発明のように連結周囲枠に連続して固定される矩形枠体により補強されると、ベッドが堅牢となり安定性のある高い使用感が得られる。また全荷重を連結周囲枠と、矩形枠体との合成体で支持するため、全体として軽量化を図りうるとともに、連結周囲枠の連結部が飾り側板に隠れるため見栄えが良い。
【００１１】
請求項３に係る発明のように構成すると、状況に応じた高さで便利に使用でき、特に介護の作業がやり易くなり、かつ昇降しても、補強材で補強された連結周囲枠は充分な強度を持つ。また請求項４に係る発明では、フレーム体をシザースリンク機構で上下動させるため、スムースなベッド昇降動作が得られる。
【００１２】
請求項５に係る発明では、分割周囲枠は横片と縦片とが直行するＬ字金具の２面により連結されるため、連結周囲枠が堅牢となってベッド強度を向上させ、また補強材は金属枠材の上面、又は下面に固定されるため、フレーム体の曲げ剛性を有効に補強できる。
【発明を実施するための最良の形態】
【００１３】
以下、本発明の実施の一形態を、図示例とともに説明する。図１に示すように、ベッド１は、ベッド枠体４と、このベッド枠体４の上で支持されるマットフレーム６とを具える。
【００１４】
前記ベッド枠体４は、ベッドの骨組みをなすフレーム体３を有する。さらにこのフレーム体３は、長さ方向に分割され、使用者の頭部側の前部に配される前の半フレーム体８Ｆ、及び後部に配される後の半フレーム体８Ｂと、この前後の半フレーム体８Ｆ、８Ｂを連結する連結枠９と、この連結部を補強する補強材１１とからなる。
【００１５】
前の半フレーム体８Ｆは、図２に示すように、両側で前後にのびる側枠２Ｓ、２Ｓ、及びこの側枠２Ｓ、２Ｓの前端部をつなぎベッド巾方向にのびる前枠２Ｆとを有する分割周囲枠７と、この分割周囲枠７の内側に架け渡された内枠材２１とを有する。他方後の半フレーム体８Ｂも同様に、側枠２Ｓ、２Ｓ、及びこの側枠２Ｓ、２Ｓの後端部をつなぐ後枠２Ｂとを有する分割周囲枠７と、内枠材２１とを有する。そして、前後の分割周囲枠７、７を連結することにより、矩形の連結周囲枠２Ａ（周囲枠２）が形成される。
【００１６】
本形態の前枠２Ｆ、後枠２Ｂ及び側枠２Ｓは、図４に示すように、偏平角パイプ状の金属枠材１９を用いて形成される。この金属枠材１９は、上片１９Ｕ、下片１９Ｄ及びこの上下片１９Ｕ、１９Ｄの間を上下にのびる左右の側片１９Ｓ、１９Ｓを有し、内の側片１９Ｓには、複数のネジ孔２６が設けられる。この他、上片１９Ｕ、下片１９Ｄ及び内の側片１９Ｓからなる断面コ字状の金属枠材１９を用いて周囲枠２を形成することもよい。
【００１７】
前記連結枠９は、前後の分割周囲枠７、７を一体化して連結周囲枠２Ａを形成するものである。本形態の連結枠９は、図４に示すように、水平な横片２０Ｈ、及びこの横片２０Ｈの一側から下方へ折れ曲がる垂直な縦片２０Ｖからなりベッド巾方向に配された一対のＬ字金具２０、２０と、このＬ字金具２０、２０間に架け渡された２本の繋ぎ軸２２、２２とからなる。なお前記縦片２０Ｖには複数の通孔６４が前後に隔設されている。そしてＬ字金具２０は、連結周囲枠２Ａの連結部１０において、直線上に並ぶ前後の半フレーム体８Ｆ、８Ｂの側枠２Ｓ、２Ｓに対して、略均等長さで沿う位置に配置される。そして前記通孔６４に挿通されるボルト２５を縦片２０Ｖの前記ネジ孔２６に螺装することにより、側枠２ＳとＬ字金具２０とが緊結され、かつ側枠２Ｓの前記上片１９Ｕの上面に横片２０Ｈが、前記側片１９Ｓに縦片２０Ｖが各々密着して固定される。これにより、別体の分割周囲枠７、７が剛に一体化された連結周囲枠２Ａが構成され、ベッド強度が向上する点で好ましい。
【００１８】
なおＬ字金具２０は、前記形状のほか、横片２０Ｈと、その一側から折れ曲がって立ち上がる縦片２０Ｖとで形成し、前記連結部１０において横片２０Ｈを側枠２Ｓの下片１９Ｄに密着させつつ分割周囲枠７、７を緊結することもよい。
【００１９】
前記補強材１１は、連結周囲枠２Ａに固着してその剛性を高めるものであり、本形態では、図２、３に示すように、連結周囲枠２Ａの全周を囲み、かつ側枠２Ｓ、前枠２Ｆ及び後枠２Ｂに対し連続して固定される矩形枠体１２からなる。更に該矩形枠体１２は、側枠２Ｓの外側に配され、前枠２Ｆから後枠２Ｂに到る長さで連続する長尺板状の飾り側板１３、１３と、この飾り側板１３、１３の前端部を繋ぎ、かつ前枠２Ｆの前側で立ち上がるヘッドボード２３と、後端部を繋ぎ、後枠２Ｂの後側で立ち上がるフットボード２４とからなる。そして、飾り側板１３の前後端部は、ヘッドボード２３及びフットボード２４の下部に接着、釘止め、ボルト固定などによって緊結され堅牢な矩形枠体１２が構成されている。なお前記ヘッドボード２３、フットボード２４には、棚などを設けた宮板が含まれるものとする。
【００２０】
本形態の飾り側板１３は、図４に示すように、内側上部が段状に切り欠かれて縦断面略Ｌ字状をなし、これにより水平な段上面２７と、この段上面２７内端部から立ち上がる段側面２８とが形成される。そして、側片１９Ｓを段側面２８沿わせた側枠２Ｓの上片１９Ｕから下片１９Ｄへと貫通したビス２９を段上面２７に打ち込むことにより、飾り側板１３を側枠２Ｓの下面に固定している。なお前記ビス２９は、図３に示すように、連結周囲枠２Ａの全長に亘って、例えば１５０〜５００ｍｍ程度のピッチで飾り側板１３に打ち込まれる。
【００２１】
なお飾り側板１３は、前記形状のほか、内側下部を段状に切り欠いて縦断面を略逆Ｌ字状とし、側枠２Ｓの下片１９Ｄから上片１９Ｕへと貫通したビスを段の下面に打ち込むことにより、側枠２Ｓの上面に固定してもよい。何れにせよ側枠２Ｓの上面、又は下面に固着される飾り側板１３は、側枠２Ｓと上下に重なるため、断面係数を著しく増大させ側枠２Ｓを有効に補強しうる点で好ましい。また、飾り側板１３によって、連結周囲枠２Ａの連結部１０が覆われ見栄えが向上する点で好ましい。
【００２２】
前記ヘッドボード２３及びフットボード２４は、図３に示すように、各々複数のアングル金具３０を介して連結周囲枠２Ａに固着される。またアングル金具３０を用いることなく、ビス、ボルト等の固着具を用いて連結周囲枠２Ａに直接固着することもできる。
【００２３】
叙上の如く前後に分割された半フレーム体８を連結枠９で連結してフレーム体３を構成するため、例えば分解して搬送し現地で組立てるノックダウン方式を採用でき、また未使用時に分解してコンパクトの収納できるなど取り扱い性に優れる。また連結枠９及び補強材１１により連結部１０が補強され、前後方向の曲げ剛性が大きいため、過酷な使用条件でもベッド枠体４に使用者が感じる程度の撓み、揺れなど変形を生じることがない。更に本形態では、連結周囲枠２Ａに連続して固定される矩形枠体１２により補強されるため、ベッドが堅牢となり快適な使用感が得られる。その上連結周囲枠２Ａ及び矩形枠体１２を組合わせた合成体で荷重支持するため、全体としての軽量化を図りうる。
【００２４】
なお飾り側板１３、ヘッドボード２３及びフットボード２４は、杉、松、樅、栂などの針葉樹、およびナラ、チーク、ラワンなどの広葉樹を含む木材、ＭＤＦ（中密度繊維板）、集成材などの木質加工材、リサイクル木粉にポリプロピレン樹脂、ポリエチレン樹脂などを配合して押出、射出成形した人工木材、プラスチック、金属その他を用いて形成される。
【００２５】
矩形枠体１２は、ヘッドボード２３を含んだ前記の構成以外に、左右の飾り側板１３の前後端部を同一断面の飾り前板、飾り後板と繋いだフレーム状体で構成することもできる。また補強材１１は、前記の如く矩形枠体１２で構成する他、連結周囲枠２Ａの両側部に固着される一対の飾り側板１３により補強材１１を構成することもできる。
【００２６】
前記フレーム体３は、本形態では昇降手段１４により高さ可変に支持される。本形態の昇降手段１４は、図５に示されるシザースリンク機構１８が用いられる。そして図１に示すように、フレーム体３の前後部に設けられた一対のシザースリンク機構１８、１８が同期して伸縮し、これによりフレーム体３が水平状態を維持して昇降する。本形態のシザースリンク機構１８は、図５、６に示すように、基盤３１と、この基盤３１の上に立設され、上部で前記フレーム体３を支えるＸ字状リンク１７と、このＸ字状リンク１７を開閉駆動する駆動手段４１とを含み構成されたものを例示している。
【００２７】
前記基盤３１は、ベッド巾方向に長い矩形基枠３１Ａと、この矩形基枠３１Ａの全周縁から小高さで立ち上がる略環状の周壁部３１Ｂとを有し、床面に載置される。前記矩形基枠３１Ａには、その片側部に一対の断面Ｌ字状の下レール３２、３２が設けられる。また前記下レール３２の縦片３２Ａには、ベッド巾方向に細長くのびるスリット３３が形成される。
【００２８】
前記Ｘ字状リンク１７は、２本のリンクアーム１５、１５が枢支軸１６により交差部で枢支されて形成される。前記双方のリンクアーム１５、１５は、上端部が各々上方に折れ曲がり、かつ前記枢支軸１６を通る垂線に対して線対称をなす上傾斜部５６、５６が形成される。
【００２９】
前記一方のリンクアーム１５Ａは、その下端部が前記基盤３１側部の枢支点Ｐ１において枢支される。その上端部を支持するため、前記フレーム体３の内枠材２１の下面に断面逆Ｌ字状の上レール３５が取り付けられ、この上レール３５の縦片３５Ａには、ベッド巾方向に細長くのびるスリット３６が形成される。そしてリンクアーム１５Ａの上端部に回転軸３７を介して枢支された上ロール３８が、上レール３５下面を転動し、前記回転軸３７がスリット３６に挿入されて前記転動をガイドしている。
【００３０】
他方のリンクアーム１５Ｂは、上端部がフレーム体３の内枠材２１の下面に枢支点Ｐ２において枢支され、かつ下端部には回転軸３９を介して下ロール４０が枢支され、この下ロール４０が前記基盤３１の下レール３２の上面を転動する。前記回転軸３９はスリット３３に挿入して前記転動をガイドする。
【００３１】
本形態では前後にＸ字状リンク１７、１７を並設し、かつ双方の枢支軸１６を連続した１本の軸体で形成している。これにより、前後のＸ字状リンク１７、１７が連結されて一体化し、堅固なシザースリンク機構１８が形成される点で好ましい。
【００３２】
前記駆動手段４１は、本形態では直線電動運動器４１Ａを用いたものを例示している。この直線電動運動器４１Ａは、電動機などを有する本体部４２と、該電動機の正転、逆転により本体部から伸び縮み（出没）自在なロッドとを具えるボールネジ機構を用いた電動シリンダ４３を用いて構成される。前記本体部４２は、図６に示すように、前記基盤３１の一側端部に立設された受部３４に枢支される。この本体部４２からベッド巾方向にのびる電動シリンダ４３の先端部は、前記他方のリンクアーム１５Ｂの下端部に取り付けられる。すなわち図７に示すように、一対のリンクアーム１５Ｂ、１５Ｂの下部は、連結管４４を介して連結され、この連結管４４内には双方の下ロール４０、４０を枢支する連続した回転軸３９が挿入されている。そして連結管４４には、リンクアーム１５Ｂと略平行にのびる平行な長板状のレバー４５が形成され、このレバー４５の先端部に前記電動シリンダ４３の先端部が枢着されている。
【００３３】
従って、直線電動運動器４１Ａの伸び縮みにより、前記リンクアーム１５Ｂの下端部がベッド巾方向に押し引きされ、その結果Ｘ字状リンク１７が開閉して、フレーム体３を昇降させる。例えば、図９（Ａ）に示すように、直線電動運動器４１Ａがリンクアーム１５Ｂの下端部を引き寄せると、双方のリンクアーム１５Ａ、１５Ｂが起き上がってＸ字状リンク１７がフレーム体３を持ち上げる。その結果、例えば介護などの作業がやり易い、高いレベルのベッドが形成される。図９（Ｂ）に示すように、リンクアーム１５Ａ、１５Ｂを中間位置の傾斜角度に変化させると、楽に乗り降りしうる適度な高さとなる。そして図９（Ｃ）に示すように、直線電動運動器４１Ａがリンクアーム１５Ｂの下端部を最大に押し出すと、フレーム体３が降下した低床ベッドが得られ、転落による危険を減じることができる。しかもこのときリンクアーム１５の上端部に形成された前記上傾斜部５６により、下限にあるフレーム体３が一定の高さに維持されるため、駆動手段４１がフレーム体３に干渉することが防止され、またベッドとして使用し難い程低く降下することもなく、使い勝手に優れる。
【００３４】
このように、昇降手段１４により使用条件に応じたベッド高さが得られるため使い勝手に優れる。しかも動作安定性に優れたシザースリンク機構１８を用いるためスムースに昇降しうる。さらに連結周囲枠２Ａが補強材１１により補強されてベッドの剛性が大きいため、揺れなどのない安定した昇降が得られる。なお前記駆動手段４１としては、このほか油圧機構、リンク機構を用いた手動装置など各種のものを使用できる。
【００３５】
前記傾斜角度を変化させるリンクアーム１５Ａ、１５Ｂの下部は、図８に示すように、このリンクアーム１５Ａ、１５Ｂが挿通しうる細長い開口４６を設けたカバー４７により覆われる。そのため前記電動シリンダ４３、下レール３２及び下ロール４０などが隠されて見栄えが良く、かつ可動部が覆われて安全性が高まる点で好ましい。なお前記カバー４７は、リンクアーム１５を挿通させた取り付けを容易に行うため、ベッド巾方向に２分割して形成され、中間部の重なり部４７Ａを介して連続している。また前記カバー４７は、不織布、ＴＣ生地などが用いて縫製され、前記周壁部３１Ｂの上端から内側に折れ曲がる鍔部４８の下面に面ファスナー、ファスナー、バネホック等を用いて取り付けられる。
【００３６】
前記マットフレーム６は、図１に示すように、前記周囲枠２よりも少し小巾で矩形の外周枠４９Ａとこの外周枠４９Ａの内側に配された補強枠４９Ｂとにより構成され、フレーム体３上でその中央に配置される。本形態のマットフレーム６は、前部から後部に向け、使用者の頭を支えるとともに下部に溝状の摺動受部６５を有する頭部枠体５０、背中を支える背部枠体５１、臀部を支える臀部枠体５２、大腿部を支える大腿部枠体５３、及び下腿部を支える下腿部枠体５４に分割して形成される。
【００３７】
前記臀部枠体５２は、前記フレーム体３にビスなどを用いて固着される。背部枠体５１は後端部が臀部枠体５２に枢着され、更に背部枠体５１の前端部には、図１０に示すように、湾曲状のヒンジ具５５を介して頭部枠体５０が連結されている。また前記前の半フレーム８Ｆには、電動器の駆動により起き上がり、先端部に摺動片５７を有するアーム体５８が設けられている。図１１に示すように、前記摺動片５７が前記摺動受部６５内に挿入され、アーム体５８の先端部が頭部枠体５０の下部に摺動可能に係合している。従って前記アーム体５８が起き上がると、図１２、１３に示すように、先ず頭部枠体５０が持ち上がり、頭部リクライニング状態が形成される。アーム体５８は、更に上昇すると、図１０、１４に示すように、背部枠体５１の前端下部に設けられたアームガイド５９に嵌合してこれを押し上げ、その結果図１６に示すように、前記頭部リクライニング状態を維持しつつ頭部枠体５０及び背部枠体５１が臀部枠体５２の前端から折れ曲がって上昇し、使用者の上半身を支えるリクライニング状態が形成される。
【００３８】
また、図１５（Ａ）に示すように、前記大腿部枠体５３の前端部は、枢支点Ｐ３においてフレーム体３に枢支され、この大腿部枠体５３の後端部に下腿部枠体５４の前端部を枢着している。さらに、前後端部がフレーム体３及び下腿部枠体５４の後部に各々枢支され、かつ大腿部枠体５３に略平行に起倒する補助リンク６６が取り付けられ、これにより平行クランク機構６０が形成される。そしてフレーム体３に装着された駆動器６１が前記下腿部枠体５４を前へ押すと、図１５（Ｂ）に示すように、大腿部枠体５３が前端から折れ曲がるとともに下腿部枠体５４が水平状態を維持しつつ上昇し、脚部をリラックスさせるフットアップ状態が形成される。
【００３９】
また前記マットフレーム６の上部には、図１に示すように、ベッド巾方向にのびる複数枚の長板６２が、隙間を隔てて前後に平行に取り付けられたすのこ状部６３が形成される。そしてこのすのこ状部６３の表面により、マットＭを載せる寝具載置面５が形成される。なお前記隙間の巾は、例えば７〜２５ｍｍ程度、本形態では１３ｍｍに形成される。長板６２には、抗菌、防臭、通気性に優れた桐を用いることが好ましく、この他、檜、杉、ファルカタなどを用いることもできる。
【００４０】
尚、叙上の説明は本発明の実施の形態を例示したものであり、本発明の技術的範囲はこれに限定されるものではない。
【図面の簡単な説明】
【００４１】
【図１】本発明の一実施の形態を例示する分解斜視図である。
【図２】その平面図である。
【図３】ベッド枠体を示す分解斜視図である。
【図４】その要部拡大斜視図である。
【図５】昇降手段を示す分解斜視図である。
【図６】その下部の正面図である。
【図７】その要部拡大斜視図である。
【図８】その異なる方向の要部拡大斜視図である。
【図９】（Ａ）（Ｂ）（Ｃ）は昇降動作を順次示した正面図である。
【図１０】マットフレームの頭側下部を示す斜視図である。
【図１１】その動作状態を説明する側面図である。
【図１２】その要部拡大断面図である。
【図１３】その異なる要部拡大断面図である。
【図１４】その側面図である。
【図１５】（Ａ）はマットフレームの脚側を示す側面図、（Ｂ）はその上昇時の側面図である。
【図１６】マットフレームを上昇させた使用状態を示す側面図である。
【図１７】従来のベッドを示す斜視図である。
【符号の説明】
【００４２】
１      ベッド
２      周囲枠
２Ａ    連結周囲枠
３      フレーム体
４      ベッド枠体
５      寝具載置面
６      マットフレーム
７      分割周囲枠
８      半フレーム体
９      連結枠
１０      連結部
１１      補強材
１２      矩形枠体
１３      飾り側板
１４      昇降手段
１５      リンクアーム
１６      枢支軸
１７      Ｘ字状リンク
１８      シザースリンク機構
１９      金属枠材
１９Ｕ    上片
１９Ｄ    下片
１９Ｓ    側片
２０      Ｌ字金具
２０Ｈ    横片
２０Ｖ    縦片
Ｍ        マット
【図１】
2006141563.tif 000003
【図２】
2006141563.tif 000004
【図３】
2006141563.tif 000005
【図４】
2006141563.tif 000006
【図５】
2006141563.tif 000007
【図６】
2006141563.tif 000008
【図７】
2006141563.tif 000009
【図８】
2006141563.tif 000010
【図９】
2006141563.tif 000011
【図１０】
2006141563.tif 000012
【図１１】
2006141563.tif 000013
【図１２】
2006141563.tif 000014
【図１３】
2006141563.tif 000015
【図１４】
2006141563.tif 000016
【図１５】
2006141563.tif 000017
【図１６】
2006141563.tif 000018
【図１７】
2006141563.tif 000019